(57)【要約】【課題】  ユーザがエリア番号を入力する必要なく、正確かつ迅速に受信可能な周波数をメモリにプリセットできるオートプリセット装置を提供すること。【解決手段】  受信可否判断手段は、エリア判別情報記憶手段に記憶された複数の候補周波数の組合せのうち、全てが受信可能な候補周波数の組合せを判別する。エリア特定手段は、全てが受信可能な候補周波数の組合せに対応するエリアをエリア判別情報記憶手段から特定する。登録手段は、特定されたエリアに対応する全周波数をエリア周波数記憶手段から読み出して、プリセット記憶部に登録する。従って、ユーザがエリア番号を登録することなく、自動的にエリアを特定し、エリアに対応する全周波数を登録できる。【選択図】図４
2008199559.tif 000002
【特許請求の範囲】
【請求項１】
受信装置に受信させる周波数を記憶するためのプリセット記憶手段と、
エリアを示すエリア情報に対応付けて、複数の候補周波数が予め記憶されたエリア判別情報記憶手段と、
該エリア情報に対応付けて、該プリセット記憶手段に登録すべき全周波数が予め記憶されたエリア周波数記憶手段と、
該エリア判別情報記憶手段の内容に基づいて、候補周波数が受信可能か否かを順次判断し、複数の候補周波数の組合せのうち、全ての候補周波数が受信可能な組合せを判別する受信可否判断手段と、
該受信可否判断手段によって受信可能と判断された複数の候補周波数の組合せに対応するエリアを該エリア判別情報記憶手段から特定するエリア特定手段と、
特定されたエリアに対応する全周波数を該エリア周波数記憶手段から読み出して、該プリセット記憶手段に登録する登録手段とを備える、オートプリセット装置。
【請求項２】
受信装置に受信させる周波数を記憶するためのプリセット記憶手段と、
エリアを示すエリア情報に対応付けて、第１及び第２の候補周波数が予め記憶されたエリア判別情報記憶手段と、
該エリア情報に対応付けて、該プリセット記憶手段に登録すべき全周波数が予め記憶されたエリア周波数記憶手段と、
該エリア判別情報記憶手段の内容に基づいて、候補周波数が受信可能か否かを順次判断し、第１及び第２の候補周波数の組合せのうち、第１及び第２の候補周波数が共に受信可能な組合せを判別する受信可否判断手段と、
該受信可否判断手段によって受信可能と判断された第１及び第２の候補周波数の組合せに対応するエリアを該エリア判別情報記憶手段から特定するエリア特定手段と、
特定されたエリアに対応する全周波数を該エリア周波数記憶手段から読み出して、該プリセット記憶手段に登録する登録手段とを備える、オートプリセット装置。
【請求項３】
受信装置に受信させる周波数を記憶するためのプリセット記憶手段と、エリアを示すエリア情報に対応付けて、複数の候補周波数が予め記憶されたエリア判別情報記憶手段と、該エリア情報に対応付けて、該プリセット記憶手段に登録すべき全周波数が予め記憶されたエリア周波数記憶手段とを備える受信装置におけるオートプリセット方法であり、
該エリア判別情報記憶手段の内容に基づいて、候補周波数が受信可能か否かを順次判断し、複数の候補周波数の組合せのうち、全ての候補周波数が受信可能な組合せを判別する受信可否判断ステップと、
該受信可否判断ステップによって受信可能と判断された複数の候補周波数の組合せに対応するエリアを該エリア判別情報記憶手段から特定するエリア特定ステップと、
特定されたエリアに対応する全周波数を該エリア周波数記憶手段から読み出して、該プリセット記憶手段に登録する登録ステップとを含む、オートプリセット方法。
【発明の詳細な説明】
【技術分野】
【０００１】
本発明は、受信装置に受信させる周波数を自動でプリセットメモリに登録するオートプリセット装置に関する。
【背景技術】
【０００２】
プリセットメモリに周波数をプリセット登録可能な受信装置において、周波数を走査して、各周波数の受信信号を検知し、信号レベルが所定値を上回った場合、走査を一時中止してその時の周波数をプリセットメモリに登録し、再び周波数の走査を開始して受信信号を検知するオートプリセット機能が使用されている。
【０００３】
しかし、従来のオートプリセットにおいては、ノイズが混入した場合にそのノイズを受信した周波数を放送局の周波数と誤ってプリセットメモリに登録するという問題や、同じ内容の放送局を複数プリセットメモリに登録するという問題がある。また、周波数帯域の最初から最後までを走査し終えるまでに時間がかかるという問題や、多くの周波数で信号レベルが所定値を上回った場合に、全周波数帯域を走査し終える前にプリセットメモリが満杯になってしまい、ユーザが所望の放送局の周波数をプリセットメモリに登録できない可能性があるという問題がある。
【０００４】
これらの問題を解決するためにエリア番号毎にプリセットメモリに登録すべき全周波数を予めテーブルに記憶しておき、ユーザがエリア番号を入力することにより、入力されたエリア番号に対応する全周波数をテーブルから読み出して、プリセットメモリに登録する方法が提供されている。しかし、この場合には、ユーザがエリア番号を入力する必要があり煩雑であると共に、誤ったエリア番号を入力する恐れがある。
【０００５】
この問題を解決するために、下記特許文献１に記載の受信装置が提案されている。特許文献１では、オートサーチにて放送周波数を順次サーチし、受信可能なチャンネルとその周波数をサーチデータとしてサーチデータ記憶装置１６に記憶させる。このサーチデータと、予め記憶している地域別チャンネルデータとを比較判別回路１８で比較判別し、該当する地域別チャンネルデータを選局制御回路１５にプリセットする。
【０００６】
特許文献１の方法では、ユーザがエリア番号を入力する必要はないが、全周波数帯域を走査してサーチデータ記憶装置に受信可能な周波数を記憶させた後に、地域別チャンネルデータ記憶装置に記憶された周波数と比較してエリアを確定するので、オートプリセットが完了するまでに時間がかかるという問題がある。さらに、ノイズを受信した場合、ノイズの周波数を受信できる周波数と誤認し、エリア照合にとって障害となる。
【０００７】
【特許文献１】特開平８−２２２９９８
【発明の開示】
【発明が解決しようとする課題】
【０００８】
本発明の目的は、ユーザがエリア番号を入力する必要なく、正確かつ迅速に受信可能な周波数をプリセットメモリに登録できるオートプリセット装置を提供することである。
【課題を解決するための手段】
【０００９】
本発明の好ましい実施形態によるオートプリセット装置は、受信装置に受信させる周波数を記憶するためのプリセット記憶手段と、エリアを示すエリア情報に対応付けて、複数の候補周波数が予め記憶されたエリア判別情報記憶手段と、該エリア情報に対応付けて、該プリセット記憶手段に登録すべき全周波数が予め記憶されたエリア周波数記憶手段と、該エリア判別情報記憶手段の内容に基づいて、候補周波数が受信可能か否かを順次判断し、複数の候補周波数の組合せのうち、全ての候補周波数が受信可能な組合せを判別する受信可否判断手段と、該受信可否判断手段によって受信可能と判断された複数の候補周波数の組合せに対応するエリアを該エリア判別情報記憶手段から特定するエリア特定手段と、特定されたエリアに対応する全周波数を該エリア周波数記憶手段から読み出して、該プリセット記憶手段に登録する登録手段とを備える。
【００１０】
本発明の別の好ましい実施形態によるオートプリセット装置は、受信装置に受信させる周波数を記憶するためのプリセット記憶手段と、エリアを示すエリア情報に対応付けて、第１及び第２の候補周波数が予め記憶されたエリア判別情報記憶手段と、該エリア情報に対応付けて、該プリセット記憶手段に登録すべき全周波数が予め記憶されたエリア周波数記憶手段と、該エリア判別情報記憶手段の内容に基づいて、候補周波数が受信可能か否かを順次判断し、第１及び第２の候補周波数の組合せのうち、第１及び第２の候補周波数が共に受信可能な組合せを判別する受信可否判断手段と、該受信可否判断手段によって受信可能と判断された第１及び第２の候補周波数の組合せに対応するエリアを該エリア判別情報記憶手段から特定するエリア特定手段と、特定されたエリアに対応する全周波数を該エリア周波数記憶手段から読み出して、該プリセット記憶手段に登録する登録手段とを備える。
【００１１】
本発明の好ましい実施形態によるオートプリセット方法は、受信装置に受信させる周波数を記憶するためのプリセット記憶手段と、エリアを示すエリア情報に対応付けて、複数の候補周波数が予め記憶されたエリア判別情報記憶手段と、該エリア情報に対応付けて、該プリセット記憶手段に登録すべき全周波数が予め記憶されたエリア周波数記憶手段とを備える受信装置におけるオートプリセット方法であり、該エリア判別情報記憶手段の内容に基づいて、候補周波数が受信可能か否かを順次判断し、複数の候補周波数の組合せのうち、全ての候補周波数が受信可能な組合せを判別する受信可否判断ステップと、該受信可否判断ステップによって受信可能と判断された複数の候補周波数の組合せに対応するエリアを該エリア判別情報記憶手段から特定するエリア特定ステップと、特定されたエリアに対応する全周波数を該エリア周波数記憶手段から読み出して、該プリセット記憶手段に登録する登録ステップとを含む。
【発明の効果】
【００１２】
受信可否判断手段は、エリア判別情報記憶手段に記憶された複数の候補周波数の組合せのうち、全てが受信可能な候補周波数の組合せを判別する。エリア特定手段は、全てが受信可能な候補周波数の組合せに対応するエリアをエリア判別情報記憶手段から特定する。登録手段は、特定されたエリアに対応する全周波数をエリア周波数記憶手段から読み出して、プリセット記憶部に登録する。従って、ユーザがエリア番号を入力することなく、自動的にエリアを特定し、特定されたエリアに対応する全周波数をプリセットメモリに登録できる。しかも、全てが受信可能な候補周波数の組合せを判別できた段階でエリアの特定が完了するので、上記特許文献１のように全周波数帯域を走査する必要がなく、迅速にオートプリセットを完了することができる。さらに、１つの候補周波数でノイズを受信した場合でも他の候補周波数でノイズを受信しなければ、その候補周波数の組合せはエリアとして判別されないので、ノイズによる誤った周波数が登録されることを防止できる。
【発明を実施するための最良の形態】
【００１３】
以下、本発明の好ましい実施形態について、図面を参照して具体的に説明するが、本発明はこれらの実施形態には限定されない。図１は、本発明のオートプリセット装置が適用された受信装置１を示す概略ブロック図である。受信装置１は、チューナー部２、マイコン処理部３、表示部４、入力部５、オーディオ処理部６、メモリ部７及びプリセットメモリ８を備える。
【００１４】
チューナー部２は、受信可能な複数の周波数の中から、マイコン処理部３によって選択された１つの周波数の信号を受信する。チューナー部２は、受信した信号の音声情報をオーディオ処理部６に供給する。オーディオ処理部６は、受信した音声情報に各処理を実行し、外部に接続されたスピーカー９に供給する。
【００１５】
マイコン処理部３は、メモリ部７に格納されたプログラムに基づいて、受信装置１全体の動作を制御するものであり、プリセット処理部１０及び受信制御部１１を含む。プリセット処理部１０は、後述のエリア判別テーブルに基づいて現在受信装置１が配されているエリアを特定し、特定したエリアに対応する全周波数を後述のエリア周波数テーブルから読み出して、プリセットメモリ８に登録する。受信制御部１１は、プリセット処理部１０がエリアを特定する際に、エリア判別テーブル内の候補周波数を受信するようにチューナー部２を制御する。また、受信制御部１１は、ユーザによって選択されたプリセット番号に対応する周波数をプリセットメモリ８から読み出して、読み出した周波数を受信するようにチューナー部２を制御する。
【００１６】
メモリ部７には、図２に示すエリア判別テーブルが予め格納されている。エリア判別テーブルは、プリセット処理部１０が受信装置１が配されているエリアを判別するためのテーブルであり、第１候補の周波数が登録された領域と、第２候補の周波数が登録された領域と、第１候補及び第２候補の周波数の組合せによって特定されるエリアのエリア情報（エリア名やエリア番号等）が登録された領域とを含む。第１候補及び第２候補の周波数は、後述のエリア周波数テーブルにおけるエリアに対応する全周波数の中から選択された周波数であり、第１候補の周波数及び第２候補の周波数の組合せによって一義的にエリアが特定されものである。プリセット処理部１０は、まず第１候補の周波数が受信可能か否かを判断し、受信可能であれば、第２候補の周波数が受信可能か否かを判断し、受信可能であれば、それらの周波数の組合せで特定されるエリアを、受信装置１が配されている（つまり、プリセットメモリ８に登録すべき周波数を特定する）エリアであると判別する。例えば、第１候補の周波数７６．１ＭＨｚが受信可能、かつ、第２候補の周波数８３．１ＭＨｚが受信可能なとき、エリアが盛岡であると判別され、第１候補の周波数７６．５ＭＨｚが受信可能、かつ、第２候補の周波数８０．２ＭＨｚが受信可能なとき、エリアが大阪であると判別される。なお、必要に応じて、第１候補及び第２候補の組合せだけでは、全エリアを一義的に特定できない場合に、第３候補以降の候補周波数がエリア判別テーブルに登録されていてもよい。
【００１７】
メモリ部７には、図３に示すエリア周波数テーブルが予め格納されている。エリア周波数テーブルは、エリア情報に対応付けて、そのエリアに受信装置１が配されたときにプリセットメモリ８に登録すべき全周波数が登録されたテーブルである。エリア判別テーブルに基づいてエリアが特定された後、プリセット処理部１０は、特定されたエリアに対応する全周波数をエリア情報テーブルから読み出して、プリセットメモリ８に自動的に登録する。例えば、エリアが盛岡であると特定された場合、周波数：76.1、83.1、76.9・・等がプリセットメモリ８に登録される。
【００１８】
表示部４は、現在受信している放送についての情報（例えば、周波数及び放送局名）を表示するものであり、例えば、ＬＣＤ等である。
【００１９】
入力部５は、ユーザからの指示を受け付けて、マイコン処理部３にユーザ指示を送信するものであり、操作キーまたはリモコン等である。入力部５は、例えば、周波数アップキー、周波数ダウンキー、オートプリセット登録キー、プリセットアップキー、プリセットダウンキー等を含む。
【００２０】
以上の構成を有する受信装置１について、オートプリセット処理を説明する。図４は、マイコン処理部３のオートプリセット処理を示すフローチャートである。まず、プリセット処理部３は、エリア判別テーブルから第１候補の周波数（詳細には、エリア判別テーブルの第１候補の最初に登録されている７６．１ＭＨｚ）を読み出して、受信制御部１１がチューナー部２に、第１候補の周波数７６．１ＭＨｚの信号を受信するように制御する（Ｓ１）。
【００２１】
プリセット処理部３は、第１候補の周波数７６．１ＭＨｚの信号が受信可能か否かを判断する（Ｓ２）。具体的には、第１候補の周波数７６．１ＭＨｚで受信される信号の電界強度が所定値以上であるか否かが判断される。
【００２２】
第１候補の周波数７６．１ＭＨｚの信号を受信可能な場合（Ｓ２：ＹＥＳ）、プリセット処理部１０は、次の候補（第２候補）の周波数がエリア判別テーブルに登録されているか否かを判断する（Ｓ３）。ここでは、第２候補の周波数が登録されているので（Ｓ３：ＹＥＳ）、プリセット処理部１０は、エリア判別テーブルから第２候補の周波数（詳細には、第１候補７６．１ＭＨｚに対応する第２候補の最初に登録されている周波数８０．０ＭＨｚ）を読み出して、受信制御部１１がチューナー部２に、第２候補の周波数８０．０ＭＨｚの信号を受信するように制御する（Ｓ４）。
【００２３】
プリセット処理部３は、第２候補の周波数８０．０ＭＨｚの信号が受信可能か否かを判断する（Ｓ２）。第２候補の周波数８０．０ＭＨｚの信号を受信可能な場合（Ｓ２：ＹＥＳ）、プリセット処理部１０は、次候補（第３候補）がないと判断し（Ｓ３：ＮＯ）、受信可能であった第１候補７６．１ＭＨｚ及び第２候補８０．０ＭＨｚの組合せに対応するエリア（東京）を、エリア判別テーブルを参照して特定する（Ｓ７）。プリセット処理部１０は、エリア周波数テーブルを参照してエリアが東京に対応する全周波数を読み出して、プリセットメモリ８に登録する（Ｓ７）。
【００２４】
一方、第１候補の周波数７６．１ＭＨｚが受信可能で、第２候補の周波数８０．０ＭＨｚが受信可能でない場合（Ｓ２：ＮＯ）、プリセット処理部１０は、第１候補の周波数７６．１ＭＨｚに対応する別の第２候補の周波数が存在するか否かを判断する（Ｓ５）。ここでは、別の第２候補の周波数が存在するので（Ｓ５：ＹＥＳ）、プリセット処理部１０は、第２候補の周波数８３．１ＭＨｚを読み出して、受信制御部１１がチューナー部２に、第２候補の周波数８３．１ＭＨｚの信号を受信するように制御する（Ｓ６）。
【００２５】
第２候補の周波数８３．１ＭＨｚが受信可能であれば（Ｓ２：ＹＥＳ）、次候補（第３候補）の周波数はないと判断され（Ｓ３：ＮＯ）、受信可能であった第１候補の周波数７６．１ＭＨｚ及び第２候補の周波数８３．１ＭＨｚの組合せに対応するエリア（盛岡）を、エリア判別テーブルを参照して特定する（Ｓ７）。プリセット処理部１０は、エリア周波数テーブルを参照してエリアが盛岡に対応する全周波数を読み出して、プリセットメモリ８に登録する（Ｓ７）。
【００２６】
同様に、第１候補の周波数７６．１ＭＨｚ及び第２候補の周波数８３．４ＭＨｚが受信可能であれば、エリアは福井と特定され、エリアが福井に対応する全周波数をエリア周波数テーブルから読み出して、プリセットメモリ８に登録する。
【００２７】
一方、第１候補の周波数７６．１ＭＨｚが受信可能で、対応する第２候補の周波数８０．０ＭＨｚ、８３．１ＭＨｚ、８３．４ＭＨｚが全て受信可能でない場合（Ｓ５、Ｓ６を経由してＳ２でＮＯ）、別の候補の周波数（ここでは、次の第１候補の周波数７６．４ＭＨｚ）が存在すると判断され（Ｓ５：ＹＥＳ）、プリセット処理部１０は、第１候補の周波数７６．４ＭＨｚを読み出して、受信制御部１１がチューナー部２に、第１候補の周波数７６．４ＭＨｚの信号を受信するように制御する（Ｓ６）。
【００２８】
また、第１候補の周波数７６．１ＭＨｚが受信可能でない場合にも（Ｓ２：ＮＯ）、同様に次の第１候補の周波数７６．４ＭＨｚが存在すると判断され（Ｓ５：ＹＥＳ）、プリセット処理部１０は、第１候補の周波数７６．４ＭＨｚを読み出して、受信制御部１１がチューナー部２に、第１候補の周波数７６．４ＭＨｚの信号を受信するように制御する（Ｓ６）。
【００２９】
第１候補の周波数７６．４ＭＨｚが受信可能であれば（Ｓ２：ＹＥＳ）、第２候補の周波数が存在すると判断され（Ｓ３：ＹＥＳ）、プリセット処理部１０は、第２候補の周波数７９．８ＭＨｚを読み出して、受信制御部１１がチューナー部２に、第２候補の周波数７９．８ＭＨｚの信号を受信するように制御する（Ｓ４）。
【００３０】
第２候補の周波数７９．８ＭＨｚが受信可能であれば（Ｓ２：ＹＥＳ）、次候補（第３候補）は存在しないと判断され（Ｓ３：ＮＯ）、受信可能であった第１候補７６．４ＭＨｚ及び第２候補７９．８ＭＨｚの組合せに対応するエリア（旭川）を、エリア判別テーブルを参照して特定する（Ｓ７）。プリセット処理部１０は、エリア周波数テーブルを参照し、エリアが旭川に対応する全周波数を読み出して、プリセットメモリ８に登録する（Ｓ７）。
【００３１】
以下、同様にして、第２候補の周波数７９．８ＭＨｚが受信可能でなく、第２候補８０．３ＭＨｚが受信可能であれば、エリアが宇都宮と特定され、エリアが宇都宮に対応する全周波数をプリセットメモリ８に登録する。さらに、第２候補の周波数８０．３ＭＨｚが受信可能でない、又は、第１候補の周波数７６．４ＭＨｚが受信可能でない場合、第１候補の周波数７６．５ＭＨｚが受信可能か判断される。第１候補の周波数７６．５ＭＨｚ及び第２候補の周波数８０．２ＭＨｚが受信可能な場合、エリアは大阪と特定され、第１候補の周波数７６．５ＭＨｚ及び第２候補の周波数８１．９ＭＨｚが受信可能な場合、エリアは横浜と特定され、各エリアに対応する全周波数がプリセットメモリ８に登録される。
【００３２】
以上のように、第１候補の周波数及び第２候補の周波数が受信可能かを判断し、受信可能な第１候補の周波数及び第２候補の周波数の組合せに対応するエリアを自動的に特定することができる。
【００３３】
ここで、第１候補の周波数と第２候補の周波数との受信可能な組合せが存在しない場合（Ｓ５：ＮＯ）、マイコン処理部１０はエラー処理として、例えば、オートプリセットできない旨を表示部４に表示させる（Ｓ８）。
【００３４】
また、例えば、エリアが大阪であるとき、第１候補の周波数７６．１ＭＨｚでノイズを受信し、誤って受信可能と判断された場合でも、第２候補の周波数８０．０ＭＨｚ、８３．１ＭＨｚ、８３．４ＭＨｚが全て受信可能でないと判断されるので、誤ってエリアが東京、盛岡、又は福井と特定されることはない。この効果は、候補の数を増やすほど顕著になるが、候補の数が少ない方がエリアの特定を短時間に完了できる。また、必要に応じて、特定されたエリアの周波数をプリセットメモリ８に登録する際に、実際にその周波数で信号を受信可能かを確認しながら、受信可能な周波数のみを登録するようにしてもよい。
【００３５】
以上の処理によって、ユーザがエリア番号を入力する必要なく、プリセット処理部１０がエリア判別テーブルに登録されている候補周波数が受信可能かを確認し、エリアを自動的に特定し、エリアに対応する全周波数をプリセットメモリ８に登録することができる。また、第１候補及び第２候補の受信可能な組合せを発見した段階でエリアを特定できるので、オートプリセットに必要な時間を短縮することができる。
【００３６】
以上、本発明の好ましい実施形態を説明したが、本発明はこれらの実施形態には限定されない。本発明は、ＦＭ放送だけでなく、ＡＭ放送にも適用することができる。本発明は、上記の動作を実行させるためのコンピュータプログラムまたはそのコンピュータプラグラムを記録した記録媒体という形態で提供されてもよい。
【産業上の利用可能性】
【００３７】
本発明はラジオ受信装置のオートプリセット装置に特に好適に適用され得る。
【図面の簡単な説明】
【００３８】
【図１】本発明の好ましい実施形態による受信装置１の構成を示すブロック図である。
【図２】エリア判別テーブルを示す図である。
【図３】エリア周波数テーブルを示す図である。
【図４】マイコン処理部３のオートプリセット処理を示すフローチャートである。
【符号の説明】
【００３９】
１          受信装置
２          チューナー部
３          マイコン処理部
４          表示部
５          入力部
６          オーディオ処理部
７          メモリ部
８          プリセットメモリ
１０        プリセット処理部
１１        受信制御部
【図１】
2008199559.tif 000003
【図２】
2008199559.tif 000004
【図３】
2008199559.tif 000005
【図４】
2008199559.tif 000006